【手続補正書】
【提出日】平成25年9月25日(2013.9.25)
【手続補正１】
【補正対象書類名】特許請求の範囲
【補正対象項目名】全文
【補正方法】変更
【補正の内容】
【特許請求の範囲】
【請求項１】
１５パート・パー・ミリオン未満の蒸気相濃度にある、望ましくないかまたは目標とする物質を吸収することが可能な吸着媒であって、前記吸着媒が、少なくとも２００ｍ２・ｇｍ−１の表面積を有する構造を含み、前記吸着媒が：
ａ．前記吸着媒上に、約０．１〜５０重量％のシクロデキストリンの濃度での、置換されたシクロデキストリンまたはポリオレフィン−シクロデキストリングラフト化物質；
ｂ．シクロデキストリン化合物に固有の表面電荷を抑制して、吸着性を最大にするための、有効量のポリエチレンイミン；
を含む、吸着媒。
【請求項２】
前記置換されたシクロデキストリンが、シクロデキストリンＣ１〜５アルキルエーテルである、請求項１に記載の吸着媒。
【請求項３】
前記ポリエチレンイミンが、８００〜１，０００，０００の分子量を有する、請求項１に記載の吸着媒。
【請求項４】
前記ポリエチレンイミンが、置換されたポリエチレンイミンである、請求項１に記載の吸着媒。
【請求項５】
前記吸着媒が、約２００〜１０００ｍ２・ｇｍ−１の範囲の表面積を有するシリカをさらに含む、請求項１に記載の吸着媒。
【請求項６】
前記シクロデキストリンの含量を基準にして、約０．５〜５重量％のポリエチレンイミンが存在している、請求項１に記載の吸着媒。
【請求項７】
前記吸着媒が、固体の基材、繊維もしくは布地、板紙ウェブ、またはフィルム上で使用される、請求項１に記載の吸着媒。
【請求項８】
前記固体の基材が、約０．０１〜１０ｍｍの厚みを有するウェブを含む、請求項７に記載の吸着媒。
【請求項９】
容器内部の封入された容積であって、前記容積が、望ましくないかまたは目標とする物質を含む蒸気相、および１５パート・パー・ミリオン未満の濃度にある、望ましくないかまたは目標とする物質を吸着することが可能な吸着媒を含み、前記吸着媒が、少なくとも２００ｍ２・ｇｍ−１の表面積を有する基材、および請求項１に記載の吸着媒を含む、封入された容積。
【請求項１０】
収穫後の農産物または花卉のための容器の内部からエチレンを吸着し、それらの保存寿命を延長させる方法であって、前記方法が、エチレン吸着性組成物と共に、収穫後の農産物または花卉を容器に入れることを含み、前記組成物が、請求項１に記載の吸収剤を含む、方法。
【請求項１１】
１５パート・パー・ミリオン未満の濃度にある、望ましくないかまたは目標とする物質を吸着することが可能なサッシェであって、前記サッシェが、少なくとも２００ｍ２・ｇｍ−１の表面積を有する基材、および請求項１に記載の吸収剤を含む、サッシェ。
【手続補正２】
【補正対象書類名】明細書
【補正対象項目名】００１１
【補正方法】変更
【補正の内容】
【００１１】
「容器（ｃｏｎｔａｉｎｅｒ）」という用語は、通常の意味合いで使用されている。「繊維（ｆｉｂｅｒ）」という用語は、通常の意味合いで使用されている。「布地（ｆａｂｒｉｃ）」という用語は、典型的には、各種の厚み、長さ、幅、および組成の材料を含めて、織物ウェブおよび不織ウェブの両方を意味している。製品には、典型的には、本発明の熱可塑性プラスチック繊維から作成した布地を含むが、他の布地たとえば、セルロース系材料、リネンその他を含んでいてもよい。本発明の物質の応用は、顔面マスク、ティッシュ、拭い布、タオル、衣服、家具、自動車およびその他の輸送機器、産業用もしくは家庭用の濾過などにおいて使用することができる。本発明において記載されたような、ヤーンまたはその他の不織布において使用される繊維は、典型的には、比較的小さな繊維径を有する繊維を意味している。そのような直径は、一般的には、約１ミクロン未満から１００ミクロンもの大きさまでの範囲である。そのような繊維は、約１〜約５０ミクロンの直径を有していることが多い。組み立てたときに、最終製品には、先に開示された構造物の１種または複数を含むことができる。繊維は１層の熱可塑性プラスチック層の中に組み入れることも、２層以上の熱可塑性プラスチック層を組み合わせることも、さらに織布を、フィルムまたは他のそのような構造の上に積層することも可能な不織布と組み合わせることもできる。本発明の精神と範囲から外れることなく作成することが可能な、本発明の各種の組合せまたは構造物の組合せが存在する。
特定の実施形態では、例えば以下が提供される：
（項目１）
１５パート・パー・ミリオン未満の蒸気相濃度にある、望ましくないかまたは目標とする物質を吸収することが可能な吸着媒であって、前記吸着媒が、少なくとも２００ｍ２・ｇｍ−１の表面積を有する構造を含み、前記吸着媒が：
ａ．前記吸着媒上に、約０．１〜５０重量％のシクロデキストリンの濃度での、置換されたシクロデキストリンまたはポリオレフィン−シクロデキストリングラフト化物質；
ｂ．シクロデキストリン化合物に固有の表面電荷を抑制して、吸着性を最大にするための、有効量のポリエチレンイミン；
を含む、吸着媒。
（項目２）
前記シクロデキストリンが、約０．３０〜０．９５の置換度を有する、置換されたシクロデキストリンである、項目１に記載の吸着媒。
（項目３）
前記置換されたシクロデキストリンが、シクロデキストリンＣ１〜５アルキルエーテルである、項目２に記載の吸着媒。
（項目４）
前記置換されたシクロデキストリンが、シクロデキストリンメチルエーテルである、項目２に記載の吸着媒。
（項目５）
前記メチルエーテル置換基が、前記シクロデキストリンの２ヒドロキシル位の上にある、項目４に記載の吸着媒。
（項目６）
前記ポリエチレンイミンが、８００〜１，０００，０００の分子量を有する、項目１に記載の吸着媒。
（項目７）
前記ポリエチレンイミンが、置換されたポリエチレンイミンである、項目１に記載の吸着媒。
（項目８）
前記ポリエチレンイミン組成物が、エトキシル化ポリエチレンイミンを含む、項目１に記載の吸着媒。
（項目９）
前記吸着媒が、約２００〜１０００ｍ２・ｇｍ−１の範囲の表面積を有するシリカをさらに含む、項目１に記載の吸着媒。
（項目１０）
前記シクロデキストリンの含量を基準にして、約０．５〜５重量％のポリエチレンイミンが存在している、項目１に記載の吸着媒。
（項目１１）
前記吸着媒が、基材の上で使用される、項目１に記載の吸着媒。
（項目１２）
前記基材が、繊維を含む、項目１１に記載の吸着媒。
（項目１３）
前記基材が、布地を含む、項目１１に記載の吸着媒。
（項目１４）
前記布地が、不織布を含む、項目１３に記載の吸着媒。
（項目１５）
前記基材が、約０．０１〜１０ｍｍの厚みを有するウェブを含む、項目１１に記載の吸着媒。
（項目１６）
前記基材が、板紙ウェブを含む、項目１１に記載の吸着媒。
（項目１７）
前記基材が、ポリオレフィンフィルムを含む、項目１１に記載の吸着媒。
（項目１８）
望ましくないかまたは目標とする物質を含む蒸気相、および１５パート・パー・ミリオン未満の濃度にある、望ましくないかまたは目標とする物質を吸着することが可能な吸着媒を含む封入された容積であって、前記吸着媒が、少なくとも２００ｍ２・ｇｍ−１の表面積を有する基材、および以下のものを含むコーティング：
ａ．前記吸着媒の上に約０．５〜５０重量％の前記シクロデキストリンを担持させた、シクロデキストリン化合物；
ｂ．シクロデキストリン化合物に固有の表面電荷を抑制して、吸着性を得ることを最大にするための、有効量のポリエチレンイミン；
を含む、封入された容積。
（項目１９）
前記シクロデキストリンが、約０．３０〜０．９５の置換度を有する、置換されたシクロデキストリンである、項目１８に記載の封入された容積。
（項目２０）
前記置換されたシクロデキストリンが、シクロデキストリンＣ１〜５アルキルエーテルである、項目１９に記載の封入された容積。
（項目２１）
前記置換されたシクロデキストリンが、シクロデキストリンメチルエーテルである、項目１９に記載の封入された容積。
（項目２２）
前記メチルエーテル置換基が、前記シクロデキストリンの２ヒドロキシル位の上にある、項目１９に記載の封入された容積。
（項目２３）
前記ポリエチレンイミンが、８００〜１，０００，０００の分子量を有する、項目１８に記載の封入された容積。
（項目２４）
前記ポリエチレンイミンが、置換されたポリエチレンイミンである、項目２３に記載の封入された容積。
（項目２５）
前記ポリエチレンイミン組成物が、エトキシル化ポリエチレンイミンを含む、項目１８に記載の封入された容積。
（項目２６）
前記封入された容積が、約２００〜１０００ｍ２・ｇｍ−１の範囲の表面積を有するシリカをさらに含む、項目１９に記載の封入された容積。
（項目２７）
前記シクロデキストリンの含量を基準にして、約０．５〜５重量％のポリエチレンイミンが存在している、項目１８に記載の封入された容積。
（項目２８）
前記封入された容積が、基材を含む、項目１８に記載の封入された容積。
（項目２９）
前記基材が、布地を含む、項目１８に記載の封入された容積。
（項目３０）
前記布地が、不織布を含む、項目１８に記載の封入された容積。
（項目３１）
前記基材が、約０．０１〜１０ｍｍの厚みを有するウェブを含む、項目１８に記載の封入された容積。
（項目３２）
前記基材が、板紙ウェブを含む、項目１９に記載の封入された容積。
（項目３３）
前記基材が、ポリオレフィンフィルムを含む、項目１８に記載の封入された容積。
（項目３４）
収穫後の農産物および花卉のための容器の内部からエチレンを吸着し、そして前記収穫後の農産物および花卉の保存寿命を延長させる方法であって、前記方法が、収穫後の農産物および花卉をエチレン吸着性組成物と共に容器の中に置くことを含み、前記組成物が；ａ．前記組成物上に、約０．１〜５０重量％のシクロデキストリンの濃度での、置換されたシクロデキストリンまたはポリオレフィン−シクロデキストリングラフト化物質；
ｂ．シクロデキストリン化合物に固有の表面電荷を抑制して、吸着性を得ることを最大にするための、有効量のポリエチレンイミン；
を含む、吸着の方法。
（項目３５）
前記シクロデキストリンが、約０．３０〜０．９５の置換度を有する、置換されたシクロデキストリンである、項目３４に記載の吸着の方法。
（項目３６）
前記置換されたシクロデキストリンが、シクロデキストリンＣ１〜５アルキルエーテルである、項目３５に記載の吸着の方法。
（項目３７）
前記置換されたシクロデキストリンが、シクロデキストリンメチルエーテルである、項目３５に記載の吸着の方法。
（項目３８）
前記メチルエーテル置換基が、前記シクロデキストリンの２ヒドロキシル位の上にある、項目３７に記載の吸着の方法。
（項目３９）
前記ポリエチレンイミンが、８００〜１，０００，０００の分子量を有する、項目３４に記載の吸着の方法。
（項目４０）
前記ポリエチレンイミンが、置換されたポリエチレンイミンである、項目３９に記載の吸着の方法。
（項目４１）
前記ポリエチレンイミン組成物が、エトキシル化ポリエチレンイミンを含む、項目３９に記載の吸着の方法。
（項目４２）
前記封入された容積が、約２００〜１０００ｍ２・ｇｍ−１の範囲の表面積を有するシリカをさらに含む、項目３４に記載の吸着の方法。
（項目４３）
前記シクロデキストリンの含量を基準にして、約０．５〜５重量％のポリエチレンイミンが存在している、項目３４に記載の吸着の方法。
（項目４４）
前記封入された容積が、基材を含む、項目３６に記載の吸着の方法。
（項目４５）
前記基材が、布地を含む、項目４５に記載の吸着の方法。
（項目４６）
前記布地が、不織布を含む、項目４６に記載の吸着の方法。
（項目４７）
前記基材が、約０．０１〜１０ｍｍの厚みを有するウェブを含む、項目４５に記載の吸着の方法。
（項目４８）
前記基材が、板紙ウェブを含む、項目４５に記載の吸着の方法。
（項目４９）
前記基材が、ポリオレフィンフィルムを含む、項目４５に記載の吸着の方法。
（項目５０）
１５パート・パー・ミリオン未満の濃度にある、望ましくないかまたは目標とする物質を吸着することが可能な吸着媒を含むサッシェであって、前記吸着媒が、少なくとも２００ｍ２・ｇｍ−１の表面積を有する基材、および、
ａ．前記吸着媒の上に約０．５〜５０重量％の前記シクロデキストリンを担持させた、シクロデキストリン化合物；
ｂ．シクロデキストリン化合物に固有の表面電荷を抑制して、吸着性を得ることを最大にするための、有効量のポリエチレンイミン；
を含む、吸収剤
を含む、サッシェ。
（項目５１）
前記シクロデキストリンが、約０．３０〜０．９５の置換度を有する、置換されたシクロデキストリンである、項目５１に記載のサッシェ。
（項目５２）
前記置換されたシクロデキストリンが、シクロデキストリンＣ１〜５アルキルエーテルである、項目５１に記載のサッシェ。
（項目５３）
前記置換されたシクロデキストリンが、シクロデキストリンメチルエーテルである、項目５３に記載のサッシェ。
（項目５４）
前記メチルエーテル置換基が、前記シクロデキストリンの２ヒドロキシル位の上にある、項目５４に記載のサッシェ。
（項目５５）
前記ポリエチレンイミンが、８００〜１，０００，０００の分子量を有する、項目５１に記載のサッシェ。
（項目５６）
前記ポリエチレンイミンが、置換されたポリエチレンイミンである、項目５１に記載のサッシェ。
（項目５７）
前記ポリエチレンイミン組成物が、エトキシル化ポリエチレンイミンを含む、項目５１に記載のサッシェ。
（項目５８）
前記サッシェが、約２００〜１０００ｍ２・ｇｍ−１の範囲の表面積を有するシリカをさらに含む、項目５１に記載のサッシェ。
（項目５９）
前記シクロデキストリンの含量を基準にして、約０．５〜５重量％のポリエチレンイミンが存在している、項目５１に記載のサッシェ。
（項目６０）
前記吸着媒が、サッシェ基材を含む、項目５１に記載のサッシェ。
（項目６１）
前記サッシェが基材を含み、そして前記吸着媒を含む、項目５１に記載のサッシェ。
（項目６２）
前記基材が、布地を含む、項目６２に記載のサッシェ。
（項目６３）
前記布地が、不織布を含む、項目６３に記載のサッシェ。
（項目６４）
前記基材が、約０．０１〜１０ｍｍの厚みを有するウェブを含む、項目６２に記載のサッシェ。
（項目６５）
前記基材が、板紙ウェブを含む、項目６２に記載のサッシェ。
（項目６６）
前記基材が、ポリオレフィンフィルムを含む、項目６２に記載のサッシェ。